(57)【要約】【課題】デザイン性を向上する。【解決手段】矩形輪郭の板状体１０１の周囲に縦フレーム１１０および横フレーム１２０を設けたパネル構造体１００であって、縦フレームおよび横フレームが、板状体の周端部を内側に位置する溝１１１と、角部において、縦フレームの端部と横フレームの端部とを接続する接続部材１３０を内側に位置する接続溝１１２と、を有し、溝が、板状体の厚み方向である幅方向の一端側に位置して縦フレームおよび横フレームの長手方向に延在するとともに、接続溝が、幅方向の他端側に位置して縦フレームおよび横フレームの長手方向に延在する。【選択図】図１
2020066857.tif 000002
【特許請求の範囲】
【請求項１】
矩形輪郭の板状体の周囲に縦フレームおよび横フレームを設けたパネル構造体であって、
前記縦フレームおよび前記横フレームが、前記板状体の周端部が内側に配置される溝と、
前記縦フレームと前記横フレームとで形成される角部において、前記縦フレームの端部と前記横フレームの端部とを接続する接続部材が内側に配置される接続溝と、
を有し、
前記溝が、前記板状体の厚み方向である幅方向の一端側に位置して前記縦フレームおよび前記横フレームの長手方向に延在するとともに、
前記接続溝が、前記幅方向の他端側に位置して前記縦フレームおよび前記横フレームの長手方向に延在することを特徴とするパネル構造体。
【請求項２】
前記縦フレームおよび前記横フレームは、前記溝が設けられた前記幅方向一端側の部材高さが、前記接続溝が設けられた前記幅方向他端側の部材高さよりも低いことを特徴とする請求項１に記載のパネル構造体。
【請求項３】
前記縦フレームおよび前記横フレームは、前記接続溝の底部が、前記溝の底部に対して、当該縦フレームまたは横フレームが設けられた前記板状体の周端部よりも前記板状体の主面中心側に配されていることを特徴とする請求項１に記載のパネル構造体。
【請求項４】
前記縦フレームおよび前記横フレームは、前記接続溝の底部が、前記溝の前記幅方向一端側の開口端よりも前記板状体の主面中心側に配されていることを特徴とする請求項１に記載のパネル構造体。
【請求項５】
前記接続部材が前記縦フレームおよび前記横フレームの長手方向にそれぞれ延在する部分を有し、
前記接続溝の開口を覆うキャップ部材によって、前記接続部材が覆われることを特徴とする請求項１から４のいずれか一項に記載のパネル構造体。
【請求項６】
前記縦フレームおよび前記横フレームのうち、一方の端部には、他方の前記接続溝の底部に当接する突き当たり部と、他方の前記接続溝の開口端に対応した切欠部とが設けられることを特徴とする請求項１から５のいずれか一項に記載のパネル構造体。
【請求項７】
前記他方の接続溝の開口端に対応した前記一方の切欠部のうち、前記板状体の厚さ方向において前記溝側に位置する外側切欠部が、前記板状体の厚さ方向において前記接続溝側に位置する内側切欠部よりも、前記板状体の厚さ方向における寸法が大きくなるように形成されることを特徴とする請求項６に記載のパネル構造体。
【請求項８】
空間に設けられ、該空間内に内部空間を形成するための空間構成用構造体であって、
前記空間内における前記内部空間の境界に配置された支柱フレームと、
前記支柱フレームの上端部に連結された複数の梁フレームと、
前記支柱フレームと前記梁フレームとで形成された側部と、
を備え、
前記側部には、請求項１から７のいずれか一項に記載のパネル構造体を備え、
前記側部において、前記接続溝が前記内部空間側に配置され、前記溝が外側に配置されることを特徴とする空間構成用構造体。
【請求項９】
前記空間内に設けられ、前記空間から隔離して前記内部空間内で特定の作業を行うためのワークブースであることを特徴とする請求項８に記載の空間構成用構造体。
【発明の詳細な説明】
【技術分野】
【０００１】
本発明は、パネル構造体、空間構成用構造体に係り、室内や室外に設置される空間構成用構造体に用いて好適な技術に関するものである。
【背景技術】
【０００２】
オフィスや展示ホール等の屋内、あるいは屋外において、各種の展示や打ち合わせ、飲食等を行うための空間を形成するため、床面上に立設した複数の支柱と、これら支柱の上端部同士を連結するよう設けた梁材と、を備えた空間構成用構造体が用いられている（特許文献１）。
【０００３】
近年、オフィスのフリーアドレス化や、モバイルワークの進展等に鑑み、このような構造体を設置する機会が増えている。
【０００４】
このような構造体においては、特許文献１に加えて特許文献２〜４に記載されるように、ガラスなどからなる一枚の板状体の周囲をフレームで囲んだパネル構造体を側面に用いるものが知られている。
【先行技術文献】
【特許文献】
【０００５】
【特許文献１】特開２００６−２０７２５８号公報
【特許文献２】特開２００６−２４９８３５号公報
【特許文献３】特開２００５−２４０３３９号公報
【特許文献４】特開２０１２−１３２２９６号公報
【発明の概要】
【発明が解決しようとする課題】
【０００６】
しかし、従来の構造体では、フレームの厚さ方向における中間部に板状体を設ける構造であるため、パネルに対してフレームの幅が目につき、意匠性を改善したいという要求があった。
また、構造体においてガラスなどの板状体を設ける場合、その面積をなるべく大きくするために、フレームの幅を狭くしたいという要求があるが、その場合、フレームの強度を維持することが難しいという問題があった。
【０００７】
本発明は、上記の事情に鑑みてなされたもので、以下の目的を達成しようとするものである。
１．パネル位構造体において、意匠性を向上する。
２．パネル位構造体において、デザイン性の向上と強度の維持とを図る。
３．部品点数を削減する。
【課題を解決するための手段】
【０００８】
本発明のパネル構造体は、矩形輪郭の板状体の周囲に縦フレームおよび横フレームを設けたパネル構造体であって、
前記縦フレームおよび前記横フレームが、前記板状体の周端部が内側に配置される溝と、
前記縦フレームと前記横フレームとで形成される角部において、前記縦フレームの端部と前記横フレームの端部とを接続する接続部材が内側に配置される接続溝と、
を有し、
前記溝が、前記板状体の厚み方向である幅方向の一端側に位置して前記縦フレームおよび前記横フレームの長手方向に延在するとともに、
前記接続溝が、前記幅方向の他端側に位置して前記縦フレームおよび前記横フレームの長手方向に延在することにより上記課題を解決した。
これにより、矩形輪郭とされるパネル構造体において、板状体よりも外側から板状体の厚み方向視して、板状体が視認者に近接する位置にあるため、板状体を厚さ方向の反対側を視認可能なガラス等からなるものとした際に、縦フレームおよび横フレームに比べて、板状体の視認状態を向上することができる。さらに、板状体周縁部で縦フレームおよび横フレームが板状体を覆う額縁部分として認識される領域を狭くすることで、さらに、意匠性を向上することができる。また、額縁部分として認識される領域を狭くした場合であっても、強度を呈する接続溝側の寸法を、額縁部分を形成する溝の寸法とは関係なく設定することができるため、額縁部分よりも接続溝付近を太くすることが可能となる。これにより、充分な強度を維持して、かつ、ガラス等の質感を充分にアピール可能なデザイン性、意匠性に優れたパネル構造体とすることができる。
【０００９】
本発明のパネル構造体は、前記縦フレームおよび前記横フレームは、前記溝が設けられた前記幅方向一端側の部材高さが、前記接続溝が設けられた前記幅方向他端側の部材高さよりも低いことがより好ましい。言い換えると、前記板状体の主面中心から周端部に向かう方向において、前記溝の開口端（縁部端）が、前記接続溝の開口端（縁部端）よりも前記板状体の主面中心から離間していることがより好ましい。
これにより、外側から視認した際に、前記板状体の主面中心から周端部に向かう方向において、ガラス等からなる板状体の面領域を、フレームの面領域よりも細くすることができるため、接続溝の位置に対応する強度を維持する縦フレーム、横フレームの径寸法を大きくし、ガラス等の意匠性をになう板状体を支持する溝の位置をパネル構造体の縁部外側に配置することができ、板状体の視認状態を向上することができる。これにより、充分な強度を維持して、かつ、ガラス等の質感を充分にアピール可能なデザイン性、意匠性に優れたパネル構造体とすることができる。
【００１０】
本発明のパネル構造体は、前記縦フレームおよび前記横フレームは、前記接続溝の底部が、前記溝の底部に対して、当該縦フレームまたは横フレームが設けられた前記板状体の周端部よりも前記板状体の主面中心側に配されていることが可能である。言い換えると、前記板状体の主面中心から周端部に向かう方向において、前記溝の底部が、前記接続溝の底部よりも前記板状体の主面中心から離間していることが可能である。
これにより、接続溝の位置に対応する強度を維持する縦フレーム、横フレームの径寸法を大きくし、ガラス等の意匠性をになう板状体を支持する溝の位置をパネル構造体の縁部外側に配置することができ、板状体の視認状態を向上することができる。これにより、充分な強度を維持して、かつ、ガラス等の質感を充分にアピール可能なデザイン性、意匠性に優れたパネル構造体とすることができる。
【００１１】
また、本発明のパネル構造体は、前記縦フレームおよび前記横フレームは、前記接続溝の底部が、前記溝の前記幅方向一端側の開口端よりも前記板状体の主面中心側に配されていることができる。言い換えると、前記板状体の主面中心から周端部に向かう方向において、前記溝の開口端（縁部端）が、前記接続溝の底部よりも前記板状体の主面中心から離間している。
これにより、接続溝の位置に対応する強度を維持する縦フレーム、横フレームの径寸法を大きくし、ガラス等の意匠性をになう板状体を支持する溝の位置をパネル構造体の縁部外側に配置することができ、板状体の視認状態を向上することができる。これにより、充分な強度を維持して、かつ、ガラス等の質感を充分にアピール可能なデザイン性、意匠性に優れたパネル構造体とすることができる。
【００１２】
本発明のパネル構造体は、前記接続部材が前記縦フレームおよび前記横フレームの長手方向にそれぞれ延在する部分を有し、
前記接続溝の開口を覆うキャップ部材によって、前記接続部材が覆われる手段を採用することもできる。
これにより、例えばＬ字金具とされる接続部材により、縦フレームと横フレームとを強固に接続して、パネル構造体としての強度を向上することが可能となる。
【００１３】
また、本発明のパネル構造体は、前記縦フレームおよび前記横フレームのうち、一方の端部には、他方の前記接続溝の底部に当接する突き当たり部と、他方の前記接続溝の開口端（縁部端）に対応した切欠部とが設けられることができる。
これにより、縦フレームと横フレームとの溝部の内側にガラス等の板状体の周端部を位置して、一方の突き当たり部を他方の接続溝に突き当てることで、組み立て時におけるハンドリング例を向上できるとともに、組み立てた縦フレームと横フレームとからなる枠における強度を向上することができる。
【００１４】
また、本発明のパネル構造体は、前記他方の接続溝の開口端（縁部端）に対応した前記切欠部のうち、前記板状体の厚さ方向において前記溝側に位置する外側切欠部が、前記板状体の厚さ方向において前記接続溝側に位置する内側切欠部よりも、前記板状体の厚さ方向における寸法が大きくなるように形成されることが好ましい。
このように、切欠部を設けることで、突き当たり部を接続溝の底部に突き当てる際に、接続溝の縁端部を避けて突き当てる必要がなくなる。これにより、組み立て字の縦フレームと横フレームとのハンドリング性を向上し、組み立て作業時間を短縮することができる。
また、突き当たり部の両側に位置する切欠部の幅方向寸法が異なるように設定されることにより、突き当たり部を形成する際に、切削工具等を容易に用いるようにすることができ、製造時間を短縮して、製造容易性を向上することができる。
【００１５】
本発明の空間構成用構造体は、空間に設けられ、該空間内に内部空間を形成するための空間構成用構造体であって、
前記空間内における前記内部空間の境界に配置された支柱フレームと、
前記支柱フレームの上端部に連結された複数の梁フレームと、
前記支柱フレームと前記梁フレームとで形成された側部と、
を備え、
前記側部には、上記のいずれかに記載のパネル構造体を備え、
前記側部において、前記接続溝が前記内部空間側に配置され、前記溝が外側に配置されることができる。
これにより、空間構成用構造体が他の構造物とは独立に設置された際に、板状体が外から視認する視認者側に近接する表面位置にあるため、縦フレームおよび横フレームに比べて、ガラス等とされた板状体の視認状態を向上することができる。さらに、板状体周縁部で縦フレームおよび横フレームが板状体を覆う額縁部分として認識される領域を狭くすることで、さらに、デザイン性、意匠容易性を向上することができる。また、額縁部分として認識される領域を狭くした場合であっても、強度を呈する縦フレームや横フレーム側の寸法を、額縁部分を形成する溝の寸法とは関係なく設定することができるため、額縁部分よりも接続溝付近を太くすることが可能となる。これにより、充分な強度を維持して、かつ、ガラス等の質感を充分にアピール可能なデザイン性、意匠性に優れた空間構成用構造体とすることができる。
【００１６】
本発明の空間構成用構造体は、前記空間内に設けられ、前記空間から隔離して前記内部空間内で特定の作業を行うためのワークブースであることができる。
これにより、空間構成用構造体の外側である空間から、内部空間を隔離して、内部空間における作業環境を所望の状態に設定してこれを管理することができる。
【発明の効果】
【００１７】
本発明によれば、充分な強度を有し、かつ、板状体の視認状態を向上してデザイン性、意匠性に優れたパネル構造体、空間構成用構造体を提供することができるという効果を奏する。
【図面の簡単な説明】
【００１８】
【図１】本発明に係るパネル構造体の第１実施形態を示す斜視図である。
【図２】本発明に係るパネル構造体の第１実施形態の角部を示す分解斜視図である。
【図３】本発明に係るパネル構造体の第１実施形態における突き当たり部を示す斜視図である。
【図４】本発明に係るパネル構造体の第１実施形態の角部における突き当て状態を示す斜視図である。
【図５】本発明に係るパネル構造体の第１実施形態の角部を図４とは異なる角度で見た斜視図である。
【図６】本発明に係るパネル構造体の第１実施形態の角部付近におけるキャップ部材を示す斜視図である。
【図７】本発明に係る空間構成用構造体の第２実施形態を示す斜視図である。
【図８】本発明に係る空間構成用構造体の第２実施形態におけるコーナー部を拡大した斜視図（ａ）、異なる方向から拡大した斜視図（ｂ）である。
【図９】本発明に係る空間構成用構造体の第２実施形態におけるパネル構造体および梁フレームを示す図７における矢視断面図である。
【図１０】本発明に係る空間構成用構造体の第２実施形態における支柱フレームを示す平面図である。
【図１１】本発明に係る空間構成用構造体の第２実施形態における連結部材を示す斜視図である。
【図１２】本発明に係る空間構成用構造体の第２実施形態における連結部材を連結した状態を示す斜視図である。
【図１３】本発明に係る空間構成用構造体の第２実施形態におけるカバー部材を示す斜視図である。
【図１４】本発明に係る空間構成用構造体の第２実施形態におけるパネル構造体および支柱フレームを示す平断面図である。
【発明を実施するための形態】
【００１９】
以下、本発明に係るパネル構造体の第１実施形態を、図面に基づいて説明する。
図１は、本実施形態におけるパネル構造体を示す斜視図であり、図において、符号１００は、パネル構造体である。
【００２０】
本実施形態に係るパネル構造体１００は、図１に示すように、矩形輪郭の板状体１０１と、板状体１０１の周囲に設けられた縦フレーム１１０および横フレーム１２０と、底フレーム１２０Ａと、を有する。
【００２１】
板状体１０１は、矩形輪郭の平板とされ、例えばガラス等の透明材とされている。
縦フレーム１１０と横フレーム１２０とは、略同一の断面形状を有する棒状とされ、例えば、アルミニウム合金等の金属を押し出し成形して形成される。
縦フレーム１１０は、長手方向が略鉛直方向となるように板状体１０１の縦辺に延在し、横フレーム１２０は、長手方向が略水平方向となるように板状体１０１の天辺に延在している。
底フレーム１２０Ａは、後述するように、上下方向の寸法の異なる部分を有する以外は縦フレーム１１０と横フレーム１２０と略同一の断面形状を有するものとされる。
【００２２】
図２は、本実施形態におけるパネル構造体における角部を示す分解斜視図である。
縦フレーム１１０は、図２に示すように、板状体１０１に面した位置に板状体１０１の周端部を内側に位置する溝１１１と、この溝１１１に隣接して横フレーム１２０との接続部材を内側に位置する接続溝１１２と、を有する。
溝１１１は、縦フレーム１１０における幅方向の一端側である視認方向Ｓの外側位置、接続溝１１２は、縦フレーム１１０における幅方向の他端側である視認方向Ｓの内側位置にそれぞれ配置される。
縦フレーム１１０は、板状体１０１の両側となるそれぞれの鉛直方向縦辺において、互いに溝１１１および接続溝１１２が対向するように配置される。
【００２３】
縦フレーム１１０は、外板部１１３と、溝外部１１４と、接続溝内部１１５と、接続溝外部１１６と、接続溝底部１１７と、を有する。
外板部１１３は、パネル構造体１００の外周面となる板体とされる。外板部１１３の幅寸法は、板状体１０１の厚さ方向におけるパネル構造体１００の厚さ寸法と等しく形成されている。
外板部１１３は、その外面１１３ｃが主面中心Ｃｇから周端部に向かう方向における外側に位置している。
【００２４】
溝外部１１４は、板状体１０１の主面中心Ｃｇから周端部に向かう方向、つまり、板状体１０１の表面と平行な板体とされ、外板部１１３における板状体１０１の厚さ方向の一端部で、縦フレーム１１０の長手方向の全長にわたって設けられる。
接続溝内部１１５は、板状体１０１の表面と平行な板体とされ、外板部１１３における板状体１０１の厚さ方向の他端部で長手方向の全長にわたって設けられる。
【００２５】
接続溝外部１１６は、板状体１０１の表面と平行な板体とされ、板状体１０１の厚さ方向における溝外部１１４と接続溝内部１１５との間で、縦フレーム１１０の長手方向の全長にわたって設けられる。
【００２６】
接続溝底部１１７は、外板部１１３と平行な板体とされ、板状体１０１の厚さ方向における接続溝内部１１５と接続溝外部１１６との間に外板部１１３よりも板状体１０１の面中心側に近接して、縦フレーム１１０の長手方向の全長にわたって架設される。
【００２７】
縦フレーム１１０においては、溝外部１１４と接続溝外部１１６と外板部１１３とで囲まれた部分が、溝１１１を形成している。また、縦フレーム１１０においては、接続溝内部１１５と接続溝底部１１７と接続溝外部１１６とで囲まれた部分が、接続溝１１２を形成している。
縦フレーム１１０においては、外板部１１３と接続溝内部１１５と接続溝底部１１７と接続溝外部１１６とで囲まれた部分が断面矩形のパイプ状となり、縦フレーム１１０の強度を主に担う部分となっている。
【００２８】
縦フレーム１１０においては、外板部１１３の厚さ方向、つまり、板状体１０１の表面と平行な方向において、外板部１１３の内面１１３ｄから溝外部１１４の先端１１４ａまでの距離が、溝１１１の深さ寸法となる。すなわち、溝外部１１４の先端１１４ａは、溝１１１の開口端（縁部端）となっている。
ここで、外板部１１３の外面１１３ｃから内面１１３ｄまでの寸法、つまり、外板部１１３の厚さ寸法と溝１１１の深さ寸法とを合わせて、溝外部１１４の高さ寸法（高さ）Ｔｇとする。
また、外板部１１３において、溝外部１１４と接続溝外部１１６とで挟まれた部分（内面）１１３ｄが、溝１１１の底部となっている。
【００２９】
縦フレーム１１０において、外板部１１３は、溝１１１の底部となる領域（内面）１１３ｄが、接続溝１１２に対応する領域１１３ｅ、つまり、接続溝内部１１５と接続溝底部１１７と接続溝外部１１６とともにパイプ状に形成される領域１１３ｅに比べて、厚くなるように形成されている。
【００３０】
縦フレーム１１０においては、外板部１１３の厚さ方向、つまり、板状体１０１の表面と平行な方向において、接続溝底部１１７の内面１１７ｅから接続溝内部１１５の先端１１５ａまでの距離が、接続溝１１２の深さ寸法となる。同様に、外板部１１３の厚さ方向、つまり、板状体１０１の表面と平行な方向において、接続溝底部１１７の内面１１７ｅから接続溝外部１１６の先端１１６ａまでの距離が、接続溝１１２の深さ寸法となる。
外板部１１３の外面１１３ｃから接続溝内部１１５の先端１１５ａまでの寸法を、接続溝内部１１５の高さ寸法（高さ）Ｔｓとする。
【００３１】
すなわち、接続溝内部１１５の先端１１５ａと、接続溝外部１１６の先端１１６ａとは、接続溝１１２の開口端（縁部端）となっている。
接続溝内部１１５と接続溝外部１１６とで挟まれた接続溝底部１１７は、接続溝１１２の底部となっている。
【００３２】
縦フレーム１１０においては、外板部１１３の厚さ方向、つまり、板状体１０１の主面中心Ｃｇから周端部に向かう方向、言い換えると、板状体１０１の表面と平行な方向において、外板部１１３から溝外部１１４の先端１１４ａまでの距離は、外板部１１３から接続溝底部１１７までの距離よりも小さい。つまり、溝外部１１４の高さ寸法（高さ）Ｔｇが接続溝内部１１５の高さ寸法（高さ）Ｔｓよりも低い。
また、外板部１１３の厚さ方向において、外板部１１３から接続溝底部１１７までの距離は、外板部１１３から接続溝内部１１５の先端１１５ａまでの距離よりも小さい。
【００３３】
また、外板部１１３の厚さ方向において、外板部１１３から接続溝底部１１７までの距離は、外板部１１３から接続溝外部１１６の先端１１６ａまでの距離よりも小さい。
本実施形態においては、外板部１１３の厚さ方向で、外板部１１３から接続溝内部１１５の先端１１５ａまでの距離と、外板部１１３から接続溝外部１１６の先端１１６ａまでの距離とは、略等しく設定される。
【００３４】
したがって、縦フレーム１１０において、溝１１１と接続溝１１２とは、接続溝外部１１６を挟んで隣接している。
【００３５】
縦フレーム１１０では、板状体１０１の主面中心Ｃｇから周端部に向かう方向において、溝１１１の開口端（縁部端）である溝外部１１４の先端１１４ａが、接続溝１１２の開口端（縁部端）である接続溝内部１１５の先端１１５ａおよび接続溝外部１１６の先端１１６ａよりも、板状体１０１の主面中心Ｃｇから離間している。言い換えると、溝１１１の開口端（縁部端）である溝外部１１４の先端１１４ａは、接続溝１１２の開口端（縁部端）である接続溝内部１１５の先端１１５ａおよび接続溝外部１１６の先端１１６ａよりも、縦フレーム１１０の主面中心Ｃｇから周縁外側に向けて離間した位置にある。
【００３６】
また、縦フレーム１１０では、板状体１０１の主面中心Ｃｇから周端部に向かう方向において、溝１１１の底部である外板部１１３が、接続溝１１２の底部である接続溝底部１１７よりも、板状体１０１の主面中心Ｃｇから離間している。
つまり、接続溝１１２の底部である接続溝底部１１７が、溝１１１の底部に対して板状体１０１の主面中心Ｃｇに近い配置とされる。
【００３７】
また、縦フレーム１１０では、板状体１０１の主面中心Ｃｇから周端部に向かう方向において、溝１１１の開口端（縁部端）である溝外部１１４の先端１１４ａが、接続溝１１２の底部である接続溝底部１１７よりも、板状体１０１の主面中心Ｃｇから離間している。
【００３８】
縦フレーム１１０の上端部は、図２に示すように、外板部１１３と、溝外部１１４と、接続溝内部１１５と、接続溝外部１１６と、接続溝底部１１７とがいずれも面一となる端面１１０ｂを形成している。縦フレーム１１０の端面１１０ｂは、水平方向に延在する平面となるように形成される。
【００３９】
横フレーム１２０は、縦フレーム１１０と略同一の断面形状を有する。このため、図における符号を１１０番代から１２０番代に読みかえればよい。
【００４０】
図３は、本実施形態におけるパネル構造体における突き当たり部を示す斜視図である。
横フレーム１２０は、図２，図３に示すように、外板部１２３と、溝外部１２４と、接続溝内部１２５と、接続溝外部１２６と、接続溝底部１２７と、を有し、先端１２４ａ，１２５ａ，１２６ａも、縦フレーム１１０と同様に長さ寸法が設定されている。
【００４１】
横フレーム１２０は、パネル構造体１００の角部において、縦フレーム１１０と接続される端部に、端面１２０ｂから縦フレーム１１０と離間する方向に形成された内側切欠部（切欠部）１２８、外側切欠部（切欠部）１２９を有する。
【００４２】
内側切欠部（切欠部）１２８は、板状体１０１の厚さ方向において接続溝内部１１５に対応した位置に配置される。内側切欠部（切欠部）１２８の奥部１２８ｂは、接続溝内部１１５の先端１１５ａに当接するように形成される。
外側切欠部（切欠部）１２９は、板状体１０１の厚さ方向において接続溝外部１１６に対応した位置に配置される。外側切欠部（切欠部）１２９の奥部１２９ｂは、接続溝外部１１６の先端１１６ａに当接するように形成される。
【００４３】
板状体１０１の厚さ方向、つまり、横フレーム１２０の幅方向において、内側切欠部（切欠部）１２８と外側切欠部（切欠部）１２９との間には、突き当たり部１２２ｂが設けられる。
突き当たり部１２２ｂは、外板部１２３と接続溝底部１２７との端面１２３ｂ，１２７ｂとして形成され、いずれも、接続溝底部１１７に当接するように形成される。
【００４４】
板状体１０１の厚さ方向、つまり、横フレーム１２０の幅方向において、外側切欠部（切欠部）１２９よりも板状体１０１に近接する側には、外突き当たり部１２１ｂが設けられる。
外突き当たり部１２１ｂは、溝外部１２４の端面１２４ｂを有し、少なくとも、溝外部１１４の先端１１４ａに当接するように形成される。
外突き当たり部１２１ｂは、溝１１１に対応する位置における外板部１２３が、横フレーム１２０の長手方向において、溝外部１２４の端面１２４ｂとほぼ面一な平面として連続するように形成される。
【００４５】
外側切欠部（切欠部）１２９が、内側切欠部（切欠部）１２８よりも、板状体１０１の厚さ方向における寸法が大きくなるように形成される。
【００４６】
図４は、本実施形態におけるパネル構造体における角部における突き当て状態を示す斜視図である。
パネル構造体１００の角部においては、図４に示すように、横フレーム１２０の突き当たり部１２２ｂが、縦フレーム１１０の接続溝底部１１７に当接する。また、横フレーム１２０の外突き当たり部１２１ｂが、縦フレーム１１０における溝外部１１４の先端１１４ａに当接する。
【００４７】
また、横フレーム１２０の内側切欠部（切欠部）１２８の奥部１２８ｂには、縦フレーム１１０における接続溝内部１１５の先端１１５ａが当接する。さらに、横フレーム１２０の外側切欠部（切欠部）１２９の奥部１２９ｂには、縦フレーム１１０における接続溝外部１１６の先端１１６ａが当接する。
このように、対応する箇所がそれぞれ当接することで、横フレーム１２０と縦フレーム１１０との接続位置が容易に規定できる。
【００４８】
図５は、本実施形態におけるパネル構造体における角部を図４とは異なる角度で見た斜視図である。
パネル構造体１００の角部においては、図５に示すように、縦フレーム１１０と横フレーム１２０とが接続部材１３０により接続される。
接続部材１３０は、縦フレーム１１０および横フレーム１２０の長手方向にそれぞれ延在する板部１３０ａ，１３０ｂを有したＬ字金具とされる。
【００４９】
板部１３０ａは、締結ボルト、ビス、ねじ等の連結手段Ｂ２によって、接続溝底部１１７に接続される。
板部１３０ｂは、締結ボルト、ビス、ねじ等の連結手段Ｂ２によって、接続溝底部１２７に接続される。
【００５０】
接続部材１３０は、板部１３０ａが接続溝１１２の内部に位置し、板部１３０ｂが接続溝１２２の内部に位置する（図９参照）。
接続部材１３０は、例えばスチール製とされ、充分な強度を有するものとされる。
さらに、接続溝１１２，１２２には、接続部材１３０を覆うように、接続溝１１２，１２２の開口した部分を覆うキャップ部材１４０が設けられる。
【００５１】
図６は、本実施形態におけるパネル構造体における角部付近におけるキャップ部材を示す斜視図である。
キャップ部材１４０は、図６に示すように、縦フレーム１１０の接続溝１１２、および、横フレーム１２０の接続溝１２２、を覆って閉塞する状態に、接続溝１１２，１２２の延在する方向にそれぞれ取り付けられる。
【００５２】
キャップ部材１４０は、接続溝１１２，１２２に対応して、略コ字状の断面形状を有して、接続溝１１２，１２２に挿入される（図１０参照）。
【００５３】
キャップ部材１４０は、縦フレーム１１０の接続溝１１２において、接続溝内部１１５の先端１１５ａと、接続溝外部１１６の先端１１６ａと、面一となるように閉塞する。キャップ部材１４０において、接続溝内部１１５および接続溝外部１１６に接触する部分には、例えば、突条と凹条との組み合わせなどが対向して当接する面にそれぞれ設けられ、外れ止め１４５とされてもよい（図５参照）。
【００５４】
キャップ部材１４０は、横フレーム１２０の接続溝１２２において、接続溝内部１２５の先端１２５ａと、接続溝外部１２６の先端１２６ａと、面一となるように閉塞する。キャップ部材１４０において、接続溝内部１２５および接続溝外部１２６に接触する部分には、例えば、突条と凹条との組み合わせなどが対向して当接する面にそれぞれ設けられ、外れ止め１４５とされてもよい（図５参照）。
【００５５】
本実施形態におけるパネル構造体１００は、図１〜図６に矢印Ｓで示す外側からの視認方向視して、板状体１０１が視認側に近接した表面位置にある。このため、ガラス板である板状体１０１の表面に対する意匠性を向上して、ガラス面の硬質な印象を近しく感じるように、意匠性を向上してデザイン性を改善することができる。
図１〜図６に矢印Ｓで示す視認方向視して視認される板状体１０１を覆う部分、つまり、縦フレーム１１０の溝外部１１４および横フレーム１２０の溝外部１２４の面積を挟幅化することが可能となる。
この場合であっても、強度を呈するパイプ状の接続溝内部１１５，１２５と接続溝外部１１６，１２６との寸法を、溝外部１１４，１２４の寸法とは関係なく設定することができる。これにより、充分な強度を維持して、かつ、ガラス等の質感を充分にアピール可能なデザイン性、意匠性に優れたパネル構造体１００とすることができる。
【００５６】
なお、外突き当たり部１２１ｂ、突き当たり部１２２ｂ、内側切欠部（切欠部）１２８、外側切欠部（切欠部）１２９を、いずれも、一方である横フレーム１２０に形成したが、これに変えて、他方である縦フレーム１１０に形成することもできる。
【００５７】
以下、本発明に係る空間構成用構造体の第２実施形態を、図面に基づいて説明する。
図７は、本実施形態における空間構成用構造体を示す斜視図であり、図において、符号１０は、空間構成用構造体である。
本実施形態において、上述した第１実施形態のパネル構造体１００が空間構成用構造体１０に取り付けられており、パネル構造体１００に関する点において、上述した第１実施形態と対応する構成には同一の符号を付してその説明を省略する。
【００５８】
本実施形態に係る空間構成用構造体１０は、図７に示すように、上側の開口した略四角柱状の外観を有し、平面視した輪郭が矩形とされ、その内側を外部の空間から分離された内部空間として形成するワークブースとされる。
なお、以下の説明においては、図には現れない構成にも符号を付して、説明をおこなうものとする。
【００５９】
本実施形態に係る空間構成用構造体１０は、略四角柱状の角部に立設された４本の支柱フレーム１１〜１４と、隣接する２本の支柱フレーム１１の上端部の間に架設された４本の梁フレーム１５〜１８と、これら支柱フレーム１１〜１４と梁フレーム１５〜１８とで形成された側面部分に設けられた面板状の側部１９Ａ〜１９Ｄと、を備える。
支柱フレーム１１〜１４は、いずれも略等しい鉛直方向長さを有する。また、支柱フレーム１１〜１４は、側部１９Ａ〜１９Ｄの厚さ寸法と略等しい水平方向における幅寸法を有する。
【００６０】
４本の支柱フレーム１１〜１４はいずれも略同一の断面形状とされ、空間構成用構造体１０の四隅で同じ向きに配置されている。
空間構成用構造体１０の正面となる両サイド位置には、支柱フレーム１１と支柱フレーム１２とが立設され、これらの上端部には、梁フレーム１５が略水平方向に架設されている。
空間構成用構造体１０の奥側となる両サイド位置には、支柱フレーム１３と支柱フレーム１４とが立設され、これらの上端部には、梁フレーム１８が略水平方向に架設されている。
【００６１】
空間構成用構造体１０を正面視して左側となる位置には、支柱フレーム１１と支柱フレーム１３とが立設されており、これらの上端部には、梁フレーム１６が略水平方向に架設されている。
空間構成用構造体１０を正面視して右側となる位置には、支柱フレーム１２と支柱フレーム１４とが立設されており、これらの上端部には、梁フレーム１７が略水平方向に架設されている。
【００６２】
支柱フレーム１１と支柱フレーム１２と梁フレーム１５とで形成される正面側には、入退室用の開閉自在なドア１９Ａａを有する正面部（側部）１９Ａが設けられる。正面部（側部）１９Ａにおいて、ドア１９Ａａは、例えばガラス製とされ、ドア１９Ａａを閉じた状態で、空間構成用構造体１０の内部空間を外部から視認可能なものとされる。ドア１９Ａａは、支柱フレーム１１と同じ上下方向寸法を有する。正面部（側部）１９Ａにおいて、ドア１９Ａａ以外の部分には、壁部１９Ａｂが配置されている。
【００６３】
支柱フレーム１３と支柱フレーム１４と梁フレーム１８とで形成される奥側には、奥面部（側部）１９Ｂが設けられる。奥面部（側部）１９Ｂは、支柱フレーム１３と支柱フレーム１４と梁フレーム１８とに３辺を接続されたパネル構造体１００とされ、支柱フレーム１１〜１４の水平方向の幅寸法とほぼ等しい厚み寸法を有することができる。
奥面部（側部）１９Ｂとして、支柱フレーム１３と支柱フレーム１４と梁フレーム１８とに接続されたパネル構造体１００は、板状体１０１および溝外部１１４，１２４が、空間構成用構造体１０の内部空間と反対側、つまり、外側に位置するように配置される。
【００６４】
支柱フレーム１１と支柱フレーム１３と梁フレーム１６とで形成される左側には、左面部（側部）１９Ｃが設けられる。左面部（側部）１９Ｃは、支柱フレーム１１と支柱フレーム１３とが梁フレーム１６とに３辺を接続された面板とされ、支柱フレーム１１〜１４の水平方向の幅寸法とほぼ等しい厚み寸法を有する板体とされる。
【００６５】
支柱フレーム１２と支柱フレーム１４と梁フレーム１７とで形成される右側には、右面部（側部）１９Ｄが設けられる。右面部（側部）１９Ｄは、支柱フレーム１２と支柱フレーム１４とが梁フレーム１７とに３辺を接続された面板とされ、支柱フレーム１１〜１４の水平方向の幅寸法とほぼ等しい厚み寸法を有する板体とされる。
【００６６】
支柱フレーム１１〜１４の外側面１１ａ〜１４ａは、水平方向に曲率を有する曲面とされ、上下方向の全長で同じ形状として連続している。外側面１１ａ〜１４ａは、水平断面が円弧状となる輪郭を有する。外側面１１ａ〜１４ａは、四角柱状の空間構成用構造体１０における角を丸めた形状に対応している。
【００６７】
梁フレーム１５〜１８は、その全長にわたってそれぞれカバー部材２５〜２８で覆われている。カバー部材２５〜２８は、その外側面２５ａ〜２８ａが支柱フレーム１１〜１４の外側面１１ａ〜１４ａと同様に、カバー部材２５〜２８の幅方向断面が円弧状となる輪郭を有する。カバー部材２５〜２８の外側面２５ａ〜２８ａは、下端から上方向に向けて、空間構成用構造体１０における水平断面輪郭が小さくなるように傾斜した曲面とされている。
【００６８】
空間構成用構造体１０の上端部において、その四隅では、支柱フレーム１１〜１４と梁フレーム１５〜１８とが連結されている。
【００６９】
支柱フレーム１１と梁フレーム１５と梁フレーム１６との連結された空間構成用構造体１０の左側正面の隅（コーナー部）においては、支柱フレーム１１の外側面１１ａと、梁フレーム１５を覆うカバー部材２５の外側面２５ａと、梁フレーム１６を覆うカバー部材２６の外側面２６ａとをそれぞれ接続するコーナー部材２１が設けられる。
支柱フレーム１２と梁フレーム１５と梁フレーム１７との連結された空間構成用構造体１０の右側正面の隅（コーナー部）においては、支柱フレーム１２の外側面１２ａと、梁フレーム１５を覆うカバー部材２５の外側面２５ａと、梁フレーム１７を覆うカバー部材２７の外側面２７ａとをそれぞれ接続するコーナー部材２２が設けられる。
【００７０】
支柱フレーム１３と梁フレーム１８と梁フレーム１６との連結された空間構成用構造体１０の左側奥側の隅（コーナー部）においては、支柱フレーム１３の外側面１３ａと、梁フレーム１８を覆うカバー部材２８の外側面２８ａと、梁フレーム１６を覆うカバー部材２６の外側面２６ａとをそれぞれ接続するコーナー部材２３が設けられる。
支柱フレーム１４と梁フレーム１８と梁フレーム１７との連結された空間構成用構造体１０の右側奥側の隅（コーナー部）においては、支柱フレーム１４の外側面１４ａと、梁フレーム１８を覆うカバー部材２８の外側面２８ａと、梁フレーム１７を覆うカバー部材２７の外側面２７ａとをそれぞれ接続するコーナー部材２４が設けられる。
【００７１】
図８（ａ）は、本実施形態における空間構成用構造体におけるコーナー部を拡大した斜視図である。
空間構成用構造体１０における支柱フレーム１１の上端となるコーナー部には、図８（ａ）に示すように、コーナー部材２１が配置される。コーナー部材２１の外側面２１ａは、それぞれ支柱フレーム１１の外側面１１ａと、カバー部材２５の外側面２５ａと、カバー部材２６の外側面２６ａと面一になるように連続性を有する外側に向けて凸状となる曲面状に形成される。コーナー部材２１の外側面２１ａは、例えば、球面に近しい形状とされることができる。
【００７２】
空間構成用構造体１０の上端部における四隅は、略同一の構造であるので、ここでは、支柱フレーム１１と梁フレーム１５と梁フレーム１６とが連結されてコーナー部材２１が配置された左側正面において説明した。他の３つの隅においては、それぞれコーナー部材２１をコーナー部材２２〜２４に対応させて、支柱フレーム１１と梁フレーム１５，１６との符号を対応する符号に読みかえるものとする。
【００７３】
図８（ｂ）は、本実施形態における空間構成用構造体におけるコーナー部を図８（ａ）とは異なる方向から拡大した斜視図である。
空間構成用構造体１０における支柱フレーム１１の上端となるコーナー部においては、図８（ｂ）に示すように、内部空間側で、梁フレーム１５と梁フレーム１６とが露出するように端部どうしが突き合わされている。梁フレーム１５と梁フレーム１６とには、空間構成用構造体１０の内部空間側に延在する溝１５ａ，１６ａが形成されており、梁フレーム１５と梁フレーム１６との内部空間側が面一となるように、溝１５ａ，１６ａにはキャップ部材３５，３６が嵌め込まれている。溝１５ａ，１６ａは、それぞれ梁フレーム１５、１６の全長に形成される。
なお、図８（ｂ）においては、キャップ部材３５が溝１５ａから取り外された状態を図示している。
【００７４】
次に、梁フレーム、カバー部材、および、キャップ部材について説明する。ここでは、空間構成用構造体１０のコーナー部材２４をコーナー部材２３側から見た断面で説明する。
【００７５】
図９は、本実施形態における空間構成用構造体においてパネル構造体および梁フレームを図７におけるＩＸ−ＩＸ矢視した断面図である。
梁フレーム１８は、図９に示すように、その全長で同一の断面形状を有している。梁フレーム１８は、略水平に組み付けられる下板部１８ｈと、下板部１８ｈの内側空間側となる端部１８ｈ１に立設された内壁部１８ｂと、を有する。
【００７６】
下板部１８ｈは、梁フレーム１８の全長で同一の幅寸法とされる。下板部１８ｈの幅寸法は、奥面部（側部）１９Ｂの厚さ寸法よりも小さく設定される。
下板部１８ｈよりも空間構成用構造体１０の外側となる部分では、カバー部材２８の下端板部２８ｂが、奥面部（側部）１９Ｂであるパネル構造体１００における横フレーム１２０の外板部１２３と直接接触するように配置されている。
【００７７】
下板部１８ｈの上外側、つまり、内側空間側とは反対側となる端部１８ｈ２の上側位置には、上方の開口した溝を有する突条として接続部１８ｃがその全長に設けられる。
接続部１８ｃは、梁フレーム１８の長さ方向に延在する溝が、梁フレーム１８の端部位置において連結部材４４と接続するための螺合穴とされる。接続部１８ｃの溝には、連結部材４４を貫通した締結ボルト、ビス、ねじ等の連結手段Ｂが螺合されて、梁フレーム１８と連結部材４４とを固定する（図１２に対応する連結手段Ｂを図示）。
【００７８】
内壁部１８ｂは、端部１８ｈ１から略鉛直に立ち上がる内壁基部１８ｂ１と、高さ方向中間位置に溝１８ａを介して内壁基部１８ｂ１と面一に形成された内壁上部１８ｂ２とを有する。
溝１８ａは、鉛直な梁フレーム１８の幅方向断面が矩形とされており、内壁基部１８ｂ１の上端部に接続されて略水平な溝下部１８ａ１と、溝下部１８ａ１から立設されて内壁基部１８ｂ１および内壁上部１８ｂ２と平行な溝奥部１８ａ２と、溝奥部１８ａ２の上端部に接続されるとともに内壁上部１８ｂ２の下端に接続された略水平な溝上部１８ａ３と、によって、内壁部１８ｂから凹んだ溝状に形成されている。溝奥部１８ａ２には、その外側、つまり、内側空間側とは反対側となる位置に、後述するように、カバー部材２８が取り付けられる。
【００７９】
溝上部１８ａ３には、その上外側、つまり、内側空間側とは反対側となる端部１８ｈ２の上側位置には、上方の開口した溝を有する突条として接続部１８ｄがその全長に設けられる。
接続部１８ｄは、接続部１８ｃと同様に、梁フレーム１８の長さ方向に延在する溝が、梁フレーム１８の端部位置において連結部材４４と接続するための螺合穴とされる。接続部１８ｄの溝には、連結部材４４を貫通した締結ボルト、ビス、ねじ等の連結手段Ｂが螺合されて、梁フレーム１８と連結部材４４とを固定する（図１２に対応する連結手段Ｂを図示）。
【００８０】
溝１８ａは、内側空間側を覆うキャップ部材３８によって内側空間に面した開口のほぼ全てが閉塞される。キャップ部材３８は、溝１８ａの開口部分を覆うキャップ板３８ａと、キャップ板３８ａの上下で溝１８ａの内側に差し込んで、溝下部１８ａ１と溝上部１８ａ３とに対して接触し、キャップ部材３８を嵌合固定するキャップ下部３８ｂとキャップ上部３８ｃとを有する。
【００８１】
キャップ下部３８ｂとキャップ上部３８ｃとは、その先端が、溝１８ａの上下方向寸法よりも小さくなるように傾斜しており、キャップ部材３８を溝１８ａに挿入しやすくなっている。
キャップ下部３８ｂとキャップ上部３８ｃとは、その先端が、溝下部１８ａ１と溝上部１８ａ３とに設けられた凸部１８ａ１１と凸部１８ａ３１とに当接して、キャップ板３８ａが内壁部１８ｂと面一となるように位置規制可能とされる。
【００８２】
キャップ下部３８ｂには、溝下部１８ａ１と接触する側に凸部３８ｂ３が設けられ、溝下部１８ａ１側に設けられた凹部１８ａ１３と嵌合する。
キャップ上部３８ｃには、溝上部１８ａ３と接触する側に凸部３８ｃ３が設けられ、溝上部１８ａ３側に設けられた凹部１８ａ１４と嵌合する。
凸部３８ｂ３と凹部１８ａ１３の嵌合、および、凸部３８ｃ３と凹部１８ａ１４の嵌合によって、キャップ部材３８が溝１８ａ内に嵌め込まれた状態を維持できる。
【００８３】
なお、キャップ下部３８ｂと溝下部１８ａ１、および、キャップ上部３８ｃと溝上部１８ａ３の間での取り付け位置設定は、キャップ部材３８が溝１８ａ内に嵌め込んでキャップ板３８ａと内壁部１８ｂとが面一の状態を維持可能であれば、上記の構造に限定されるものではない。
【００８４】
カバー部材２８は、図９に示すように、その全長で同一の断面形状を有している。カバー部材２８は、外側面２８ａを形成する曲面部２８ｋが断面円弧状に形成される。曲面部２８ｋにおいては、外側面２８ａの下端が奥面部（側部）１９Ｂであるパネル構造体１００の板状体１０１の面方向と略等しく、外側面２８ａの上端が水平面と略等しくなるように湾曲している。曲面部２８ｋは、その全体で厚み寸法が略均一とされる。
【００８５】
曲面部２８ｋの下端位置には、梁フレーム１８の下板部１８ｈと面一となるように、下端板部２８ｂが設けられる。下端板部２８ｂの幅寸法は、奥面部（側部）１９Ｂであるパネル構造体１００の厚さ寸法よりも小さく設定される。下端板部２８ｂの空間構成用構造体１０の内側となる部分では、下板部１８ｈが直接的に奥面部（側部）１９Ｂであるパネル構造体１００と当接しており、下端板部２８ｂが端部１８ｈ２に当接することで、梁フレーム１８に対するカバー部材２８の位置設定が可能なように配置されている。下端板部２８ｂと下板部１８ｈとの幅寸法は、合わせて奥面部（側部）１９Ｂであるパネル構造体１００の厚さ寸法と略等しくなるように設定されている。
下端板部２８ｂの内側空間方向の端部は、下板部１８ｈの外側（内側空間と反対方向）の端部の切欠に当接して上下方向の位置が設定されている。
【００８６】
下端板部２８ｂには、固定支持部２８ｃが立設されている。固定支持部２８ｃの上端側は、梁フレーム１８の内壁部１８ｂに近接するとともに、接続部１８ｃと接触しないようにその形状が設定される。固定支持部２８ｃの上端には、固定部２８ｄが設けられている。
固定部２８ｄは、溝奥部１８ａ２の裏面、つまり、溝奥部１８ａ２における溝１８ａと反対側となる裏面に当接するように設けられる。固定部２８ｄは、溝奥部１８ａ２と略平行な板体とされる。固定部２８ｄと溝奥部１８ａ２とにおいては、それぞれの対応する位置に、固定孔２８ｄ１および固定孔１８ａ５が設けられている。
【００８７】
固定孔２８ｄ１および固定孔１８ａ５を貫通するように、締結ボルト、ビス、ねじ等の固定部材Ｂ１によって内部空間に対する内側位置から固定することで、カバー部材２８を梁フレーム１８に固定することが可能となる。
また、図９に図示した固定孔１８ａ５に対応して、図８（ｂ）に梁フレーム１５の固定孔１５ａ５が示される。なお、図８（ｂ）において、固定部材Ｂ１を省略している。
【００８８】
曲面部２８ｋの上端位置は、梁フレーム１８の内壁上部１８ｂ２の上端側に当接する上端当接部２８ｅとされる。上端当接部２８ｅの先端は、その内側空間側が内壁上部１８ｂ２と面一になるように形成される。上端当接部２８ｅの下側位置には、内壁上部１８ｂ２の裏面、つまり、内側空間側とは反対側となる面に当接するように、位置規制部２８ｆが下方に向けて形成される。位置規制部２８ｆの下端には、内壁上部１８ｂ２の裏面と接触する側に凸部２８ｆ３が設けられ、内壁上部１８ｂ２の裏面側に設けられた凹部１８ｂ５と嵌合する。
【００８９】
図９に示すように、空間構成用構造体１０における外側からの視認方向Ｓに対して、板状体１０１の外側の溝外部１２４が視認されるが、接続溝外部１２６は、ガラス等の板状体１０１を透過してしか視認されないので、空間構成用構造体１０の意匠性が向上する。これにより、板状体１０１の視認面積を大きくすることができる。
また、溝１２１の底部側には、図９に示すように、板状体１０１との端部との間にガスケットＧを設けてもよい。
【００９０】
次に、支柱フレーム、連結部材、コーナー部材について説明する。ここでは、支柱フレーム１１に対応するコーナー部分について説明する。
【００９１】
図１０は、本実施形態における空間構成用構造体における支柱フレームを示す平面図である。
支柱フレーム１１は、図１０に示すように、中空のパイプ状とされ、上下方向の全長で同じ断面形状として連続している。支柱フレーム１１は、断面円弧状の外側面１１ａを形成する円弧状部１１ｂと、左面部（側部）１９Ｃ側の板面部１１ｃと、正面部（側部）１９Ａ側の板面部１１ｄと、を有する。
これら円弧状部１１ｂと板面部１１ｃと板面部１１ｄとが連結された断面輪郭形状として、略四分円の扇形輪郭となるように形成される。
板面部１１ｃと板面部１１ｄとは、互いに略直交するように断面端部が接続され、円弧状部１１ｂと板面部１１ｃ、円弧状部１１ｂと板面部１１ｄも、それぞれ互いに略直交するように断面端部が接続されている。
【００９２】
板面部１１ｃの幅方向中央部には、左面部（側部）１９Ｃの反対側となる支柱フレーム１１の断面中心側に、肉厚部１１ｃ１が突条として形成される。
板面部１１ｄの幅方向中央部には、正面部（側部）１９Ａの反対側となる支柱フレーム１１の断面中心側に、肉厚部１１ｄ１が突条として形成される。
肉厚部１１ｃ１の板面部１１ｄ側と、肉厚部１１ｄ１の板面部１１ｃ側とは互いに架橋するように中板部１１ｅによって連結される。
【００９３】
中板部１１ｅの幅方向中央部には、内部空間に向かう方向の開口した溝を有する突条として接続部１１ｆがその全長に設けられる。
接続部１１ｆは、接続部１８ｃ，１８ｄと同様に、支柱フレーム１１の長さ方向に延在する溝が、支柱フレーム１１の上端位置において連結部材４１と接続するための螺合穴とされる。接続部１１ｆの溝には、連結部材４１を貫通した締結ボルト、ビス、ねじ等の連結手段Ｂが螺合されて、支柱フレーム１１と連結部材４１とを固定する（図１２に対応する連結手段Ｂを図示）。
【００９４】
図１４は、本実施形態における空間構成用構造体におけるパネル構造体および支柱フレーム付近を示す平断面図である。
支柱フレーム１４は、図１４に示すように、板面部１４ｄの幅方向中央部には、奥面部（側部）１９Ｂの反対側（裏面側）となる支柱フレーム１４の断面中心側に、肉厚部１４ｄ１が突条として形成される。
【００９５】
肉厚部１４ｄ１には、固定孔１４ｄ５が設けられている。固定孔１４ｄ５は、支柱フレーム１４と、奥面部（側部）１９Ｂであるパネル構造体１００の縦フレーム１１０とを接続固定する。
具体的には、縦フレーム１１０の外板部１１３と接続溝底部１１７とには、図１４に示すように、固定孔１４ｄ５に対応する位置に、固定孔１１３ｄ５および固定孔１１７ｄが設けられている。
【００９６】
固定孔１４ｄ５には、固定孔１１３ｄ５および固定孔１１７ｄを貫通した締結ボルト、ビス、ねじ等の連結手段Ｂ３が螺合されて、支柱フレーム１４と縦フレーム１１０とを固定する。
また、溝１１１の底部側には、図１４に示すように、板状体１０１との端部との間にガスケットＧを設けてもよい。
【００９７】
図１４に示すように、空間構成用構造体１０における外側からの視認方向Ｓに対して、板状体１０１の外側の溝外部１１４が視認されるが、接続溝外部１１６は、ガラス等の板状体１０１を透過してしか視認されないので、空間構成用構造体１０の意匠性が向上する。これにより、板状体１０１の視認面積を大きくすることができる。
【００９８】
連結部材４１〜４４は、それぞれ、支柱フレーム１１〜１４の上端部位置に連結され、それぞれ対応する梁フレーム１６〜１８のうちの２本と連結される。
連結部材４１〜４４は、いずれも略同一な構成とされるため、ここでは連結部材４１を例示して説明する。
図１１は、本実施形態における空間構成用構造体における連結部材を示す斜視図である。図１２は、本実施形態における空間構成用構造体における連結部材を連結した状態を示す斜視図である。
【００９９】
連結部材４１は、支柱フレーム１１と梁フレーム１６と梁フレーム１５とを連結する。
連結部材４１は、図１１，図１２に示すように、支柱フレーム１１に当接する略水平の底板部４１ａと、梁フレーム１６に当接するように底板部４１ａから立設された縦板部４１ｂと、梁フレーム１５に当接するように底板部４１ａから立設された横板部４１ｃと、を有する。底板部４１ａと縦板部４１ｂと横板部４１ｃとの厚さ寸法は、略同一とすることができる。
底板部４１ａは、平面視した輪郭形状として、略四分円の扇形輪郭となるように形成される。
【０１００】
底板部４１ａの平面視した外側端部４１ａ１は、その輪郭形状、つまり、空間構成用構造体１０の内部空間と反対側の輪郭形状が、支柱フレーム１１の外側面１１ａに対応して、ほぼ同じ弧状輪郭とされている。なお、外側端部４１ａ１の形状は、後述するように、支柱フレーム１１における円弧状部１１ｂの内側面との間に、平面視して隙間Ｖを形成するように円弧状部１１ｂよりも小さい径寸法の弧状として形成される。
【０１０１】
底板部４１ａと縦板部４１ｂとの接合部４１ａｂは、扇形輪郭における半径部分によって構成されて略水平な直線状に形成され、底板部４１ａと縦板部４１ｂとが直交するように接合されている。
底板部４１ａと横板部４１ｃとの接合部４１ａｃは、扇形輪郭における半径部分によって構成されて略水平な直線状に形成され、底板部４１ａと横板部４１ｃとが直交するように接合されている。
縦板部４１ｂと横板部４１ｃとの接合部４１ｂｃは、扇形輪郭における半径部分によって構成されて略鉛直な直線状に形成され、縦板部４１ｂと横板部４１ｃとが直交するように接合されている。
これにより、底板部４１ａ、縦板部４１ｂおよび横板部４１ｃそれぞれの扇形輪郭における円弧部分によって、コーナー部材２１が当接する概略三角形状の外縁が形成されている。
連結部材４１は、板状体を折り曲げて形成する場合には、上記の接合部４１ａｂ，４１ａｃ，４１ｂｃのうちいずれかが、端部が接触した状態とされてもよい。
【０１０２】
縦板部４１ｂの正面視した外側端部４１ｂ１は、その輪郭形状、つまり、空間構成用構造体１０の内部空間から離間する側の輪郭形状が、カバー部材２６の外側面２６ａに対応して、弧状輪郭とされている。なお、外側端部４１ｂ１の形状は、後述するように、カバー部材２６の曲面部２６ｋの内側面に、外側端部４１ｂ１の全長が当接可能なように曲面部２６ｋの内側面よりも小さい径寸法の弧状として形成される。
【０１０３】
横板部４１ｃの側面視した外側端部４１ｃ１は、その輪郭形状、つまり、空間構成用構造体１０の内部空間から離間する側の輪郭形状が、カバー部材２５の外側面２５ａに対応して、弧状輪郭とされている。なお、外側端部４１ｃ１の形状は、後述するように、カバー部材２５の曲面部２５ｋの内側面に、外側端部４１ｃ１の全長が当接可能なように曲面部２５ｋの内側面よりも小さい径寸法の弧状として形成される。
【０１０４】
底板部４１ａと縦板部４１ｂと横板部４１ｃとは、互いに直交するように配置されており、接合部４１ａｂと接合部４１ｂｃと接合部４１ｂｃとが、空間構成用構造体１０の内部空間側の同一箇所で交わるように構成される。
底板部４１ａには、支柱フレーム１１と連結部材４１とを連結する連結孔４１ｄが接続部１１ｆに対応した位置に設けられる。
【０１０５】
縦板部４１ｂには、梁フレーム１６と連結部材４１とを連結する連結孔４１ｅが接続部１６ｃに対応した位置に設けられ、梁フレーム１６と連結部材４１とを連結する連結孔４１ｆが接続部１６ｄに対応した位置に設けられる。
横板部４１ｃには、梁フレーム１５と連結部材４１とを連結する連結孔４１ｇが接続部１５ｃに対応した位置に設けられ、梁フレーム１５と連結部材４１とを連結する連結孔４１ｈが接続部１５ｄに対応した位置に設けられる。
【０１０６】
底板部４１ａには、連結孔４１ｄ、接合部４１ａｂおよび接合部４１ａｃから離間した位置に、貫通部４１ｊが設けられる。
縦板部４１ｂと横板部４１ｃとには、連結孔４１ｅ〜４１ｈから離間する位置で、接合部４１ｂｃを跨ぐように貫通部４１ｋが設けられる。
貫通部４１ｊおよび貫通部４１ｋは、たとえば、必要な配線を通すために設けられる。また、連結部材４１を軽量化するために設けられこともできる。貫通部４１ｊおよび貫通部４１ｋの輪郭形状および配置等は、連結部材４１の強度に影響を及ぼさなければ任意に設定できる。
【０１０７】
コーナー部材２１は、支柱フレーム１１の上端部に取り付けられる。
図１３は、本実施形態の空間構成用構造体におけるコーナー部材を内側面側から見た斜視図である。
コーナー部材２１は、図１３に示すように、外側面２１ａを形成する曲面部２１ｂと、曲面部２１ｂの下端部２１ｂ１から突出する突出部２１ｃと、カバー部材２６側の縦端部２１ｂ２から突出する突出部２１ｄと、カバー部材２５側の横端部２１ｂ３から突出する突出部２１ｅと、を有する。
【０１０８】
曲面部２１ｂは、連結部材４１で連結された支柱フレーム１１の上端部とカバー部材２６，２５との間で、これらをなめらかに繋ぐように形状設定可能である。
曲面部２１ｂの下端部２１ｂ１は、支柱フレーム１１の上端部に合わせて、水平方向視して直線に見えるように円弧状に形成される。
【０１０９】
曲面部２１ｂの縦端部２１ｂ２は、カバー部材２６側の前側端部に合わせて、側面視して直線に見えるように円弧状に形成される。
曲面部２１ｂの横端部２１ｂ３は、カバー部材２５側の左側端部に合わせて、側面視して直線に見えるように円弧状に形成される。
曲面部２１ｂは、下端部２１ｂ１と縦端部２１ｂ２と横端部２１ｂ３とによって、三角形を曲面にしたような輪郭形状とされる。曲面部２１ｂは、略均一な厚さ寸法とされる。
【０１１０】
曲面部２１ｂと突出部２１ｃと突出部２１ｄと突出部２１ｅとは、いずれも空間構成用構造体１０の内側空間に向いた内面２１ｇが、なめらかな曲面とされている。
突出部２１ｃと突出部２１ｄと突出部２１ｅとは、いずれも曲面部２１ｂよりも薄肉化され、突出部２１ｃと下端部２１ｂ１、突出部２１ｄと縦端部２１ｂ２、突出部２１ｅと横端部２１ｂ３は、それぞれが段差を形成している。
【０１１１】
また、突出部２１ｃと突出部２１ｄと突出部２１ｅとは、いずれも、略均一な幅方向寸法とされる。ここで、突出部２１ｃの幅方向は、曲面部２１ｂの中心から支柱フレーム１１に向かう方向、つまり、上下方向とされる。
突出部２１ｄの幅方向は、曲面部２１ｂの中心からカバー部材２６に向かう方向、つまり、空間構成用構造体１０の前後方向とされる。
突出部２１ｅの幅方向は、曲面部２１ｂの中心からカバー部材２５に向かう方向、つまり、空間構成用構造体１０の左右方向とされる。
【０１１２】
支柱フレーム１１〜１４および梁フレーム１５〜１８は、いずれもアルミ合金等の金属製の押し出し材とされることができる。カバー部材２５〜２８、キャップ部材３５〜３８およびコーナー部材２１〜２４は、例えば樹脂製とすることができる。連結部材４１〜４４および連結手段Ｂは、例えば、スチール材とすることができる。
なお、充分な強度を有している場合、あるいは、外観デザイン性や製造容易性等からの要請がある場合、これらの材質を適宜変更することが可能である。
【０１１３】
本実施形態における空間構成用構造体１０は、オフィス内のワーキングブース、テレビ電話用のブース、あるいは、会議・打合せ用のブースなどとして、例えば、オフィスなどの壁あるいは天井から離間した状態に設置することができる。この際、空間構成用構造体１０の内部空間は、側部１９Ａ〜１９Ｄによって、外部から分離されるとともに、空間構成用構造体１０の上部は開口した状態で外部と連通している。また、ドア１９Ａａを開閉することで入退室および外部からの閉塞状態が可能となる。
同時に、空間構成用構造体１０の内部空間は、外部から分離されているが、側部１９Ｂが、透過して視認可能なガラス等からなる板状体１０１を有するパネル構造体１００とされていることで、外部から視認した際の意匠性を高め、また、デザイン性を向上することができる。
【０１１４】
本実施形態における空間構成用構造体１０は、連結部材４１〜４４により連結された支柱フレーム１１〜１４および梁フレーム１５〜１８によって、充分な強度を有することができる。また、上部が天井板などで閉塞されていないとともに、床板が設けられていないため、これらの上下位置における板体を有する構成に比べて、軽量化を図り、その組み立て作業時間を短縮することが可能となる。
【０１１５】
また、支柱フレーム１１〜１４の外側面１１ａ〜１４ａ、カバー部材２５〜２８の外側面２５ａ〜２７ａ、およびコーナー部材２１〜２４の外側面２１ａ〜２４ａがいずれも曲面から構成されていることにより、外側から視認した際に、角部がいずれも丸められた四角柱状として視認されるために、平面のみで構成されたものに比べて柔らかい印象を与えることができ、デザイン性を向上することが可能となる。空間構成用構造体１０の上側が内側に向かう曲面となるため、柔らかな見た目とすることが可能となるなど、意匠形成の幅が広くなる。
【０１１６】
さらに、梁フレーム１５〜１８における内部空間に露出する面が、キャップ部材３５〜３８によって、側部１９Ａ〜１９Ｄと面一となることにより、空間構成用構造体１０の内部空間側から視認した際の意匠性を向上し、デザイン性を向上することが可能となる。
【０１１７】
本実施形態においては、支柱フレーム１１〜１４、梁フレーム１６、連結部材４１〜４４を連結しているが、この構成に限定されるものではなく、略四角柱状である内部空間の境界を形成していればよい。
【０１１８】
コーナー部材２１の突出部２１ｃ，２１ｄ，２１ｅによって、外側面１１ａ，２５ａ，２６ａとコーナー部材２１の外側面２１ａとの隙間が視認できないようにすることができるため、空間構成用構造体１０のデザイン性を向上することができる。
特に、接続部分の隙間が目立ちやすかったカバー部材と支柱フレームとのコーナー部分では、縦横高さの３方向の曲面となるため、隙間を目立たなくすることが困難であったが、本実施形態の空間構成用構造体１０では、コーナー部材２１〜２４を載置するだけで、この課題を解決することができる。
【０１１９】
なお、外側面１１ａ，２５ａ，２６ａとコーナー部材２１の外側面２１ａとの隙間が視認できないようにする突出部２１ｃ，２１ｄ，２１ｅは、コーナー部材２１側ではなく、支柱フレーム１１およびカバー部材２５，２６側に設けることも可能である。また、少なくとも３方向に突出する突出部２１ｃ，２１ｄ，２１ｅのうち、少なくとも１方向の突出部がコーナー部材２１側と、カバー部材２５，２６側との異なる側に設けられることもできる。
【０１２０】
本実施形態においては、側部１９Ａにドア１９Ａａを有する構成とし、側部１９Ｂがガラス板からなる板状体１０１を有するパネル構造体１００としたが、これに加えて、側部１９Ｃ，１９Ｄの一方もしくは両方をパネル構造体１００とすることもできる。さらに、側部１９Ｂ〜１９Ｄに扉部や窓部などの開閉可能な構成、あるいは、部分的もしくは一面全面の開口部等を設けることもできる。あるいは、空間構成用構造体１０の上部開口付近に他の構成部品を設けることも可能である。
【０１２１】
さらに、空間構成用構造体１０の外形として、略四角柱状としたが、他の多角形状とすることもできる。この場合、複数の支柱フレームと複数の梁フレームとを連結する際に、連結部品における底板部と縦板部と横板部との接合角度を変更することで対応可能である。
【０１２２】
本発明の活用例として、オフィスに設置されるワークブース、打合せ用ブース、テレビ会議用のブース、電話応答を行うフォンブースや、図書館等の公共施設での閲覧ブースを挙げることができる。
【符号の説明】
【０１２３】
１０…空間構成用構造体
１１〜１４…支柱フレーム
１１ａ〜１４ａ…外側面
１５〜１８…梁フレーム
１９Ａ…正面部（側部）
１９Ｂ…奥面部（側部）
１９Ｃ…左面部（側部）
１９Ｄ…右面部（側部）
２１〜２４…コーナー部材
２５〜２８…カバー部材
３５〜３８…キャップ部材
４１〜４４…連結部材
Ｖ…隙間
１００…パネル構造体
１０１…板状体
１１０…縦フレーム
１１１，１２１…溝
１１２，１２２…接続溝
１１３，１２３…外板部
１１４，１２４…溝外部
１１５，１２５…接続溝内部
１１６，１２６…接続溝外部
１１７，１２７…接続溝底部
１２０…横フレーム
１２１ｂ…外突き当たり部
１２２ｂ…突き当たり部
１２８…内側切欠部（切欠部）
１２９…外側切欠部（切欠部）
１３０…接続部材
１４０…キャップ部材
Ｂ，Ｂ２，Ｂ３…連結手段
Ｂ１…固定部材
Ｇ…ガスケット
Ｓ…視認方向
Ｖ…隙間
Ｃｇ…主面中心
Ｔｇ…溝外部の高さ
Ｔｓ…接続溝内部の高さ
【図１】
2020066857.tif 000003
【図２】
2020066857.tif 000004
【図３】
2020066857.tif 000005
【図４】
2020066857.tif 000006
【図５】
2020066857.tif 000007
【図６】
2020066857.tif 000008
【図７】
2020066857.tif 000009
【図８】
2020066857.tif 000010
【図９】
2020066857.tif 000011
【図１０】
2020066857.tif 000012
【図１１】
2020066857.tif 000013
【図１２】
2020066857.tif 000014
【図１３】
2020066857.tif 000015
【図１４】
2020066857.tif 000016